(57)【要約】【課題】ＰＯＳ端末としてタブレット端末を用いた構成において、電子決済機能の導入を低コストで、タブレット端末のメリットを損なうことなく実現可能なＰＯＳシステム及びＰＯＳシステムの制御方法を提供する。【解決手段】本発明のＰＯＳシステムＳＹは、データを読み取るカードリーダー４と、カードリーダー４と接続され、カードリーダー４からデータを入力するプリンター２と、プリンター２と接続され、会計処理を行うＰＯＳアプリケーション５２、プリンター２に入力されたデータに基づいて決済処理を行う決済アプリケーション５３、並びにＰＯＳアプリケーション５２及び決済アプリケーション５３を制御する制御部１１０、を有するタブレット端末１と、を備えた。【選択図】図３
2015194800.tif 000002
【特許請求の範囲】
【請求項１】
データを読み取るデバイスと、
前記デバイスと接続され、前記デバイスで読み取られた前記データを入力する制御装置と、
前記制御装置と接続され、会計処理を行うＰＯＳアプリケーション及び前記制御装置に入力された前記データに基づいて決済処理を行う決済アプリケーションを制御する制御部を有する端末と、
を備えることを特徴とするＰＯＳシステム。
【請求項２】
前記制御装置は、レシートを印刷する印刷部を有する請求項１に記載のＰＯＳシステム。
【請求項３】
前記端末の前記制御部は、前記ＰＯＳアプリケーションと前記決済アプリケーションの切り替え処理を行う請求項２に記載のＰＯＳシステム。
【請求項４】
前記端末の前記制御部は、前記決済アプリケーションの処理終了後、前記ＰＯＳアプリケーションで生成された印刷コマンドを前記制御装置に送信させ、
前記印刷部は、前記印刷コマンドに基づいて前記レシートを印刷する請求項３に記載のＰＯＳシステム。
【請求項５】
前記決済アプリケーションは、電子決済に関する決済処理を行い、
前記制御装置は、前記決済アプリケーションの処理結果を電子決済サーバーに送信する第１通信部、前記電子決済サーバーの処理結果を前記決済アプリケーションに送信する第２通信部、を有する請求項４に記載のＰＯＳシステム。
【請求項６】
前記端末の前記制御部は、前記電子決済サーバーから前記決済アプリケーションへの決済完了通知を受けて、前記決済アプリケーションの処理を終了させる請求項５に記載のＰＯＳシステム。
【請求項７】
端末のＰＯＳアプリケーションで会計処理を行い、
前記ＰＯＳアプリケーションから決済処理を行う決済アプリケーションに前記端末で切り替え、
デバイスでデータを読み取り、
前記デバイスで読み取ったデータを制御装置に入力し、
前記制御装置に入力されたデータ及び前記端末の前記ＰＯＳアプリケーションでの前記会計処理の結果に基づいて前記端末の決済アプリケーションで前記決済処理を行い、
前記決済アプリケーションの決済結果に基づいて、前記ＰＯＳアプリケーションの前記会計処理を終了させることを特徴とするＰＯＳシステムの制御方法。
【発明の詳細な説明】
【技術分野】
【０００１】
本発明は、タブレット端末を用いたＰＯＳ（Point  Of  Sales）システム及びＰＯＳシステムの制御方法に関する。
【背景技術】
【０００２】
近年、可搬性・操作性のメリットを生かし、タブレット端末でＰＯＳ端末を実現するニーズが高まっている。この種の技術として、例えば特許文献１が提案されている。特許文献１には、ＰＯＳ端末として機能するタブレット端末と、商品バーコードや顧客の会員カードを読み取る入力デバイスと、タブレット端末及び入力デバイスと接続されたプリンターと、を備えたＰＯＳシステムが記載されている。また、タブレット端末は、Ｗｅｂブラウザー上でＰＯＳアプリケーションを動作させる構成となっている。
【先行技術文献】
【特許文献】
【０００３】
【特許文献１】特開２０１３−１８６４８８号公報
【発明の概要】
【発明が解決しようとする課題】
【０００４】
ところで、特許文献１に記載のＰＯＳシステムに電子決済機能（クレジットカード決済機能や電子マネーカード決済機能など）を追加する場合、ＣＡＴ（Credit  Authorization  Terminal）やＲ／Ｗ（Reader  Writer）の制御を行うＡＰＩ（Application  Programming  Interface）をＰＯＳアプリケーションに組み込む必要がある。つまり、電子決済機能のみを導入したいにもかかわらず、基幹となるＰＯＳアプリケーションを大幅に改変しなければならず、導入コストが嵩んでしまう。
【０００５】
一方、ＰＯＳ端末としてタブレット端末を用いた場合、インターフェースの関係で、タブレット端末にＣＡＴやＲ／Ｗなどのデバイスを直接接続できない場合がある。また、ＵＳＢインターフェース等を介して接続できたとしても、有線接続によりタブレット端末の可搬性のメリットが損なわれてしまう場合もある。
【０００６】
本発明は、上記の問題点に鑑み、ＰＯＳ端末としてタブレット端末を用いた構成において、電子決済機能の導入を低コストで、タブレット端末のメリットを損なうことなく実現可能なＰＯＳシステム及びＰＯＳシステムの制御方法を提供することを課題とする。
【課題を解決するための手段】
【０００７】
本発明のＰＯＳシステムは、データを読み取るデバイスと、デバイスと接続され、デバイスで読み取られたデータを入力する制御装置と、制御装置と接続され、会計処理を行うＰＯＳアプリケーション及び制御装置に入力されたデータに基づいて決済処理を行う決済アプリケーションを制御する制御部を有する端末と、を備えることを特徴とする。
【０００８】
本発明のＰＯＳシステムの制御方法は、端末のＰＯＳアプリケーションで会計処理を行い、ＰＯＳアプリケーションから決済処理を行う決済アプリケーションに端末で切り替え、デバイスでデータを読み取り、デバイスで読み取ったデータを制御装置に入力し、制御装置に入力されたデータ及び端末のＰＯＳアプリケーションでの会計処理の結果に基づいて端末の決済アプリケーションで決済処理を行い、決済アプリケーションの決済結果に基づいて、ＰＯＳアプリケーションの会計処理を終了させることを特徴とする。
【０００９】
本発明の構成によれば、データを読み取るデバイスと、端末（タブレット端末）との間に制御装置を介することで、端末に直接デバイスを接続できない構成であっても、通信可能とすることができる。また、デバイスは制御装置に接続されるため、タブレット端末の可搬性のメリットを生かすことができる。また、端末は、ＰＯＳアプリケーション以外に、制御装置に入力されたデータに基づいて決済処理を行う決済アプリケーションを有するので、電子決済システムの導入に伴ってＰＯＳアプリケーションを大幅に改変する必要がない。これにより、電子決済機能の導入を低コストで実現することができる。
なお、ＰＯＳアプリケーションによる「会計処理」とは、商品情報の取得、会計金額の算出、現金決済、決済アプリケーションへの電子決済指令、会計レシートの印刷指令、などを指す。
また、決済アプリケーションによる「決済処理」とは、電子決済サーバーへの電子決済情報（デバイスで読み取ったデータを含む）の送信指令、電子決済サーバーの決済実行結果に基づく処理（ＰＯＳアプリケーションへの通知、リトライ処理を含む）などを指す。
【００１０】
上記のＰＯＳシステムにおいて、制御装置は、レシートを印刷する印刷部を有することを特徴とする。
【００１１】
本発明の構成によれば、レシートを印刷するプリンターを制御装置として用いることができる。これにより、制御装置の設置場所を確保する必要がない。
【００１２】
上記のＰＯＳシステムにおいて、端末の制御部は、ＰＯＳアプリケーションと決済アプリケーションの切り替え処理を行うことを特徴とする。
【００１３】
本発明の構成によれば、端末が、複数のアプリケーションを同時に起動若しくは表示させることができない仕様であっても、本発明を適用することができる。つまり、ハイスペックな仕様を必要としないため、端末にかかるコストを低減できる。
【００１４】
上記のＰＯＳシステムにおいて、端末の制御部は、決済アプリケーションの処理終了後、ＰＯＳアプリケーションで生成された印刷コマンドを制御装置に送信させ、印刷部は、印刷コマンドに基づいてレシートを印刷することを特徴とする。
【００１５】
本発明の構成によれば、決済アプリケーションからＰＯＳアプリケーションに処理が切り替わったことをトリガーとして、印刷コマンドを制御装置に送信する（会計レシートの印刷指令を行う）ので、ＰＯＳアプリケーションにより決済アプリケーションを監視する必要がない。これにより、電子決済システムの導入に伴うＰＯＳアプリケーションの改変項目を少なくすることができる。
【００１６】
上記のＰＯＳシステムにおいて、決済アプリケーションは、電子決済に関する決済処理を行い、制御装置は、決済アプリケーションの処理結果を電子決済サーバーに送信する第１通信部、電子決済サーバーの処理結果を決済アプリケーションに送信する第２通信部、を有することを特徴とする。
【００１７】
本発明の構成によれば、制御装置により電子決済サーバーと通信するので、通信装置を別途設ける必要がない。これにより、電子決済システムの導入を低コストで実現できる。また、制御装置を中心として、データの入力や、電子決済サーバーとの通信を行うことにより、端末側の制御負荷を軽減できる。
【００１８】
上記のＰＯＳシステムにおいて、端末の制御部は、電子決済サーバーから決済アプリケーションへの決済完了通知を受けて、決済アプリケーションの処理を終了させることを特徴とする。
【００１９】
本発明の構成によれば、ユーザー（店員）による操作を何ら必要とすることなく、電子決済サーバーによる決済完了通知に伴って、会計レシートを発行させることができる。
【図面の簡単な説明】
【００２０】
【図１】本発明の一実施形態に係るＰＯＳシステムのシステム構成図である。
【図２】ＰＯＳシステムのソフトウェア構成を示すブロック図である。
【図３】ＰＯＳシステムの機能構成を示すブロック図である。
【図４】タブレット端末の画面遷移図である。
【図５】ＰＯＳシステムによる会計処理の流れを示すフローチャートである。
【発明を実施するための形態】
【００２１】
以下、本発明の一実施形態に係るＰＯＳシステム及びＰＯＳシステムの制御方法について、添付図面を参照しながら詳細に説明する。図１は、ＰＯＳシステムＳＹのシステム構成図である。ＰＯＳシステムＳＹは、店員が操作するタブレット端末１（端末）と、タブレット端末１と無線通信を介して接続されたプリンター２（制御装置）と、プリンター２とネットワークＮＷを介して接続された電子決済サーバー３と、プリンター２に接続されたカードリーダー４（デバイス）、カスタマーディスプレー５、バーコードスキャナー６及びキャッシュドロワー７と、を備える。
【００２２】
タブレット端末１は、端末制御機構１１、タッチパネル１２及びインターフェース１３（同図では、「Ｉ／Ｆ」と図示）を有する。端末制御機構１１は、ＣＰＵ（Central  Processing  Unit）、ＲＯＭ（Read  Only  Memory）及びＲＡＭ（Random  Access  Memory）を含み、タブレット端末１を制御する。
【００２３】
タッチパネル１２は、ディスプレー機能付きタッチセンサーであり、入力された商品情報や決済処理結果など各種情報の表示及び各種操作に用いられる。インターフェース１３は、無線ＬＡＮ等の無線通信に対応し、プリンター２のインターフェース２３とデータの送受信を行う。なお、タブレット端末１とプリンター２は、不図示のアクセスポイントを介して無線通信を行う構成としても良い。
【００２４】
プリンター２は、プリンター制御機構２１、プリンターユニット２２の他、インターフェース２３，２４，２５を有する。プリンター制御機構２１は、ＣＰＵ、ＲＯＭ及びＲＡＭを含み、プリンター２を制御する。プリンターユニット２２は、印刷ヘッド、用紙搬送機構及び用紙切断機構を含み、レシート用紙への印刷を行う。
【００２５】
インターフェース２３は、タブレット端末１と無縁通信を行う。インターフェース２４は、インターネット等のネットワークＮＷを介して電子決済サーバー３との通信を行う。また、インターフェース２５は、周辺機器４，５，６，７との有線／無線通信を行う。
【００２６】
電子決済サーバー３は、クレジットカードや電子マネー等の電子決済を行う。「電子決済」とは、例えばクレジットカード決済の場合、会計金額及びクレジット情報（カード番号、有効期限等）を含む電子決済情報の受信、クレジットカードの認証、セキュリティー対策処理、会計金額の精算、決済実行結果の通知、などを指す。また、電子マネー決済の場合、会計金額及び電子マネー情報（電子マネーＩＤ、残高等）を含む電子決済情報の受信、電子マネーの認証、セキュリティー対策処理、残高更新処理、決済実行結果の通知、などを指す。
【００２７】
カードリーダー４は、クレジットカードや電子マネー（以下、「電子決済媒体」と称する）のデータを読み取り、プリンター２に出力する。具体的には、ＣＡＴやＲ／Ｗに相当する。なお、電子マネーについては、カード状媒体のみならず、携帯電話等に組み込まれた電子マネー無線ＩＣの読み取りも可能とする。
【００２８】
カスタマーディスプレー５は、顧客に提示する情報（商品名や会計金額など）を表示する。バーコードスキャナー６は、商品に貼付または印刷された商品バーコードを読み取る。キャッシュドロワー７は、紙幣や貨幣を収納し、会計処理の終了（現金決済の場合）に伴ってドロワーが開く構成となっている。
【００２９】
次に、図２を参照し、ＰＯＳシステムＳＹのソフトウェア構成について説明する。タブレット端末１は、ソフトウェアとして、ＯＳ５１（Operating  System）と、ＯＳ５１上で動作するＰＯＳアプリケーション５２及び決済アプリケーション５３がインストールされる。図１の端末制御機構１１は、これらのソフトウェア５１，５２，５３に基づいて動作する。
【００３０】
ＰＯＳアプリケーション５２は、会計処理を行うアプリケーションである。ここで「会計処理」とは、商品情報（商品バーコード、数量など）の取得、会計金額の算出、現金決済、決済アプリケーション５３への電子決済指令、会計レシートの印刷指令、などを指す。ＰＯＳアプリケーション５２は、店舗によってカスタマイズされる。例えば、タブレット端末１に表示する表示画面の表示フォーマット、会計レシートの印刷フォーマット、会計レシートに印刷する店舗ロゴ、カスタマーディスプレー５への表示項目、などがカスタマイズされる。
【００３１】
一方、決済アプリケーション５３は、電子決済媒体の決済処理を行うアプリケーションである。ここで「決済処理」とは、電子決済サーバー３への電子決済情報の送信指令、電子決済サーバー３の決済実行結果に基づく処理（ＰＯＳアプリケーション５２への通知、リトライ処理を含む）などを指す。決済アプリケーション５３は、店舗ごとにカスタマイズされるのではなく、汎用的に用いられる。
【００３２】
プリンター２は、ｅＰＯＳデバイス６１（デバイス制御部）及び電子決済制御モジュール６２が組み込まれている。図１のプリンター制御機構２１は、これらに基づいて動作する。
【００３３】
ｅＰＯＳデバイス６１は、ＰＯＳアプリケーション５２や決済アプリケーション５３からの指令に基づいて、各周辺機器４，５，６，７やプリンターユニット２２に対応したデバイス制御オブジェクトを生成し、これらを制御する。例えば、ＰＯＳアプリケーション５２からの表示指令に基づいてカスタマーディスプレー５に商品名等を表示させる制御、バーコードスキャナー６の読取結果をＰＯＳアプリケーション５２に送信する制御、ＰＯＳアプリケーション５２からのドロワーオープン指令に基づいてキャッシュドロワー７のドロアーを開く制御、ＰＯＳアプリケーション５２からの印刷指令に基づいてプリンターユニット２２を動作させる制御、などを行う。また、ｅＰＯＳデバイス６１は、決済アプリケーション５３から決済処理開始指令を受信すると、電子決済制御モジュール６２に対し、これを転送する。
【００３４】
電子決済制御モジュール６２は、カードリーダー４の制御を目的として組み込まれたモジュールである。例えば、ｅＰＯＳデバイス６１から決済処理開始指令が転送されると、カードリーダー４を読み取り可能な状態とし、カードリーダー４によるデータの読み取りを待つ。また、複数の電子決済媒体に対応し、それらのブランドの違いに対応する。
【００３５】
また、電子決済制御モジュール６２は、電子決済サーバー３との通信制御を行う。具体的には、カードリーダー４で読み取ったデータと、決済アプリケーション５３から受信した決済金額とを含む電子決済情報を電子決済サーバー３に送信する。その後、電子決済サーバー３で正常に決済が完了した場合は、カードリーダー４のＬＥＤ（図示省略）を点灯させてカード退避許可表示を行ったり、ｅＰＯＳデバイス６１を介して決済アプリケーション５３に決済完了通知を送信したり、などの制御を行う。また、電子決済サーバー３で正常に決済が完了できなかった場合は、カードリーダー４のＬＥＤを点滅させてエラー表示を行ったり、ｅＰＯＳデバイス６１を介して決済アプリケーション５３にエラー表示（タッチパネル１２への表示）を行わせたり、などの制御を行う。このように、電子決済モジュールを組み込むことで、電子決済サービスが追加・変更された場合、電子決済制御モジュール６２を変更するだけで（プリンター２自体の変更を必要とすることなく）対応することができる。
【００３６】
次に、図３を参照し、ＰＯＳシステムＳＹの機能構成について説明する。タブレット端末１は、機能構成として、制御部１１０を有する。制御部１１０は、ＰＯＳアプリケーション５２及び決済アプリケーション５３を制御し、また、プリンター２の各部２１０，２２０，２４０との情報入出力制御を行う。例えば、制御部１１０は、電子決済サーバー３から決済アプリケーション５３への決済完了通知を受けて、決済アプリケーション５３の処理を終了させる（休止またはスリープ状態とする）。また、決済アプリケーション５３の処理終了に伴って、ＰＯＳアプリケーション５２を起動し、会計レシートを印刷する印刷コマンドをプリンター２に送信させる。つまり、決済アプリケーション５３の決済結果に基づいて、ＰＯＳアプリケーション５２の会計処理を終了させる。このように、制御部１１０は、処理能力の低いＣＰＵでも支障なく対応できるように、ＰＯＳアプリケーション５２と決済アプリケーション５３の切り替え処理を行う。
【００３７】
プリンター２は、機能構成として、第１通信部２１０、第２通信部２２０、入力部２３０及び印刷部２４０を有する。第１通信部２１０は、決済アプリケーション５３の処理結果、及び入力部２３０の入力結果を電子決済サーバー３に送信する。第２通信部２２０は、電子決済サーバー３の処理結果を決済アプリケーション５３に送信する。入力部２３０は、カードリーダー４によって読み取られたデータを入力する。印刷部２４０は、ＰＯＳアプリケーション５２で生成された印刷コマンドに基づいて印刷を行う。
【００３８】
電子決済サーバー３は、機能構成として、電子決済処理部３１０を有する。電子決済処理部３１０は、上述した「電子決済」に係る処理を行う。また、カードリーダー４は、機能構成として、読取部４１０を有する。読取部４１０は、磁気リーダーや近距離無線通信により、電子決済媒体からデータを読み取る。
【００３９】
次に、図４を参照し、タブレット端末１のタッチパネル１２に表示される画面について説明する。同図において、符号Ｄ１，Ｄ４は、ＰＯＳアプリケーション５２による表示画面を示し、符号Ｄ２，Ｄ３は、決済アプリケーション５３による表示画面を示している。以下、会計処理の流れにしたがって、タッチパネル１２の画面遷移を説明する。
【００４０】
まず、符号Ｄ１に示すように、ＰＯＳアプリケーション５２は、タブレット端末１への商品情報の入力完了に伴い、決済方法を選択する画面を表示する。ここで、現金決済の場合は、店員の所定の操作（例えば、ドロワーオープン操作）により、決済アプリケーション５３を起動することなく、ＰＯＳアプリケーション５２で会計処理を完結させる。また、決済方法として、「クレジット」ボタン７１または「電子マネー」ボタン７２が選択された場合は、決済アプリケーション５３を起動してＰＯＳアプリケーション５２を待機状態とする。本例では、符号Ｄ１に示す画面において、「電子マネー」ボタン７２が選択されたものとする。なお、決済アプリケーション５３の起動は、予め定められたアドレスを指定することにより行われる。
【００４１】
また、ＰＯＳアプリケーション５２は、決済アプリケーション５３の起動時に、決済金額、決済方法、戻り先アプリケーション（ＰＯＳアプリケーション５２）の指定、プリンター２のアドレス等の情報を決済アプリケーション５３に送信し、これらの送信後、待機状態となる。
【００４２】
続いて、決済アプリケーション５３は、ＰＯＳアプリケーション５２から受信した情報に基づいて、符号Ｄ２に示す表示を行う。ここで、顧客により、カードリーダー４に電子マネー用ＩＣが翳されると、決済アプリケーション５３は決済を実行し（電子決済サーバー３との通信を行い）、符号Ｄ３に示す表示を行う。ここでは、決済処理が正常に完了した場合の表示例を示している。
【００４３】
符号Ｄ３に示す表示において、「完了」ボタン７３がタッチされると、決済アプリケーション５３は、ＰＯＳアプリケーション５２のアドレスを指定して、ＰＯＳアプリケーション５２を起動する。同時に、決済アプリケーション５３は、ＰＯＳアプリケーション５２に対して決済処理結果を送信し、その後、自身を終了若しくは待機状態とする。
【００４４】
ＰＯＳアプリケーション５２は、決済アプリケーション５３から受信した決済処理結果に基づいて、符号Ｄ４に示す表示を行う。また、特に図示しないが、ＰＯＳアプリケーション５２は、当該表示と、プリンター２に対し、会計レシートを印刷する印刷コマンドを送信する。
【００４５】
なお、図４では、タブレット端末１の画面表示について説明したが、同様の表示を、カスタマーディスプレー５で行っても良い。この場合、ボタン７１，７２，７３の選択・タッチ操作を顧客が行って良い。
【００４６】
次に、図５のフローチャートを参照し、ＰＯＳシステムＳＹによる会計処理の流れについて説明する。まず、タブレット端末１は、ＰＯＳアプリケーション５２により会計処理を行うと（Ｓ０１）、決済方法が電子決済（「クレジット」または「電子マネー」）であるか否かを判別する（Ｓ０２）。決済方法が電子決済ではないと判定した場合（例えば、現金決済の場合）は（Ｓ０２：Ｎｏ）、Ｓ０３〜Ｓ１１を省略し、Ｓ１２に進む。一方、決済方法が電子決済であると判定した場合は（Ｓ０２：Ｙｅｓ）、決済アプリケーション５３を起動し（Ｓ０３）、決済アプリケーション５３からプリンター２に決済金額や決済方法を示す情報を送信する（Ｓ０４）。
【００４７】
プリンター２は、タブレット端末１で決済アプリケーション５３が起動されると、ｅＰＯＳデバイス６１によりカードリーダー４用のデバイスオブジェクトを生成する（Ｓ０５）。なお、プリンター２は、タブレット端末１で動作しているアプリケーションの状態を監視し、決済アプリケーション５３の起動を検出することで、デバイスオブジェクトの生成を行っても良いし、決済アプリケーション５３が、自身の起動に伴って、その旨の起動信号をプリンター２側に自動送信する構成でも良い。
【００４８】
プリンター２により、カードリーダー４用のデバイスオブジェクトが生成されると、カードリーダー４が使用可能な状態となり、電子決済媒体を読み取る（Ｓ０６）。また、プリンター２は、電子決済媒体の読み取り結果及び決済金額を含む電子決済情報を、決済方法に対応した電子決済サーバー３に送信し（Ｓ０７）、電子決済サーバー３から決済実行結果（決済ＯＫ／決済ＮＧ）を受信する（Ｓ０８）。また、受信した決済実行結果を、タブレット端末１に送信する（Ｓ０９）。
【００４９】
タブレット端末１では、決済アプリケーション５３が起動状態となり、Ｓ０９にて送信された決済実行結果を決済アプリケーション５３が受信する（Ｓ１０）。その後、決済アプリケーション５３によりＰＯＳアプリケーション５２が起動され、電子決済サーバー３から受信した決済実行結果に基づく決済処理結果が送信される（Ｓ１１）。ＰＯＳアプリケーション５２は、受信した決済処理結果に基づいて印刷コマンドを生成し、プリンター２に送信する（Ｓ１２）。プリンター２は、当該印刷コマンドの受信に伴って、ｅＰＯＳデバイス６１によりプリンターユニット２２のデバイスオブジェクトを生成し（Ｓ１３）、会計レシートを印刷する（Ｓ１４）。
【００５０】
以上説明したとおり、本実施形態によれば、電子決済媒体からデータを読み取るカードリーダー４と、タブレット端末１との間にプリンター２を介する構成であり、タブレット端末１が直接カードリーダー４を接続できない構成であっても、通信可能とすることができる。また、タブレット端末１とプリンター２は、無線通信により接続され、タブレット端末１の可搬性を損ねることがない。
【００５１】
また、タブレット端末１には、ＰＯＳアプリケーション５２以外に電子決済に用いられる決済アプリケーション５３がインストールされ、電子決済機能の導入に伴ってＰＯＳアプリケーション５２を大幅に改変する必要がなく、導入コストを抑えることができる。本実施形態の場合、ＰＯＳアプリケーション５２の改変は、決済画面に「クレジット」ボタン７１と「電子マネー」ボタン７２を追加し（図４参照）、さらにこれらの選択に伴って決済アプリケーション５３の起動指令を行う機能を追加すれば良い。
【００５２】
また、プリンター２に、電子決済サーバー３、カードリーダー４、その他周辺機器５，６，７を接続し、プリンター２で情報の入出力を行うので、タブレット端末１の制御負荷を軽減できる。また、タブレット端末１は、ＰＯＳアプリケーション５２と決済アプリケーション５３の切り替え処理を行うので、複数のアプリケーションを同時に起動させることができない仕様の端末であっても、本実施形態のタブレット端末１として適用することができる。
【００５３】
また、電子決済サーバー３から決済アプリケーション５３への決済完了通知をトリガーとしてプリンター２に印刷コマンドを送信することから、店員によるレシート発行操作を必要とすることなく、会計レシートを印刷させることができる。
【００５４】
なお、上記の実施形態では、本発明の「制御装置」をプリンター２で実現したが、プリンター２に接続可能な制御装置またはプリンター２に着脱可能なインターフェースボードにより実現しても良い。この場合、図１に示したプリンター制御機構２１及びインターフェース２３，２４，２５、図２に示したｅＰＯＳデバイス６１及び電子決済制御モジュール６２、図３に示した第１通信部２１０、第２通信部２２０及び入力部２３０は、制御装置またはインターフェースボードに設けられる。
【００５５】
また、上記の実施形態では、タブレット端末１を、ネイティブアプリケーションを用いて制御したが、Ｗｅｂアプリケーションを用いて制御しても良い。この場合、ＰＯＳアプリケーション５２及び決済アプリケーション５３は、インターネット上のサーバーに設けられ、ＯＳ５１が不要となる。
【００５６】
また、上記の実施形態では、ＰＯＳアプリケーション５２により印刷コマンドを生成し、プリンター２に送信したが、決済アプリケーション５３により印刷コマンドを生成し、プリンター２に送信しても良い。若しくは、ＰＯＳアプリケーション５２により生成された印刷コマンドを決済アプリケーション５３が取得し、当該印刷コマンドを決済アプリケーション５３がプリンター２に送信しても良い。
【００５７】
また、上記に示したＰＯＳシステムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターをＰＯＳシステムＳＹの各構成要素として機能させるプログラム、及びそれを記録した記録媒体も、本発明の権利範囲に含まれる。
【００５８】
また、上記の実施形態では、本発明の「端末」をタブレット端末１に適用したが、他の情報処理端末に適用しても良い。また、本発明の「制御装置」をプリンター２に適用したが、プリンター２以外のＰＯＳ周辺機器（例えば、カスタマーディスプレー５など）に適用しても良い。その他、本発明の要旨を逸脱しない範囲で、適宜変更が可能である。
【符号の説明】
【００５９】
１：タブレット端末  ２：プリンター  ３：電子決済サーバー  ４：カードリーダー  ５：カスタマーディスプレー  ６：バーコードスキャナー  ７：キャッシュドロワー  １１：端末制御機構  １２：タッチパネル  ２１：プリンター制御機構  ２２：プリンターユニット  ５１：ＯＳ  ５２：ＰＯＳアプリケーション  ５３：決済アプリケーション  ６１：ｅＰＯＳデバイス  ６２：電子決済制御モジュール  １１０：制御部  ２１０：第１通信部  ２２０：第２通信部  ２３０：入力部  ２４０：印刷部  ３１０：電子決済処理部  ４１０：読取部  ＮＷ：ネットワーク  ＳＹ：ＰＯＳシステム
【図１】
2015194800.tif 000003
【図２】
2015194800.tif 000004
【図３】
2015194800.tif 000005
【図４】
2015194800.tif 000006
【図５】
2015194800.tif 000007